(57)【要約】      （修正有）【課題】内設の管を通して凍結防止及び温度変化によって粘度が変化する気体及び流体を一定の温度で給排し、防水構造、光、電気的信号伝達が容易な電熱一体型移送管を提供する。【解決手段】電熱一体型移送管を、柔軟な樹脂製もしくは、外被を電気的に絶縁された金属製の単管又は、複数管（以下管１）の外周部全体に通電用編組線Ａ（以下通電線Ａ２）を装着し、その外周部全体に均一の厚さで、柔軟性を持つ発熱体（以下発熱体３）を被覆し、さらに、その外周部全体に通電用編組線Ｂ（以下通電線Ｂ４）を装着して、それらの外周全体に外被５を被覆した構造とする。【選択図】図１
2007179800.tif 000002
【特許請求の範囲】
【請求項１】
柔軟な樹脂製もしくは、外被を電気的に絶縁された金属製の単管又は、複数管（以下管）の外周部全体に通電用編組線Ａ（以下通電線Ａ）を装着し、その外周部全体に均一の厚さで、柔軟性を持つ発熱体（以下発熱体）を被覆し、さらに、その外周部全体に通電用編組線Ｂ（以下通電線Ｂ）を装着して、それらの外周全体に外被１を被覆した構造の電熱一体型移送管。
【請求項２】
発熱体が自己温度制御機能を有する発熱体３である請求項１の電熱一体型移送管。
【請求項３】
複数管は、それぞれの管に識別可能な色分けをした請求項１、請求項２の電熱一体型移送管。
【請求項４】
複数管は、樹脂製管又は外被を電気的に絶縁された金属製管６との組合された構造からなる請求項１、請求項２、請求項３の電熱一体型移送管。
【請求項５】
複数管は、信号伝達用ケーブル６や光ファイバー７と組合された構造からなる請求項１、請求項２、請求項３、請求項４の電熱一体型移送管。
【請求項６】
アース用通電線９を組合された構造からなる請求項１、請求項２、請求項３、請求項４、請求項５の電熱一体型移送管。
【請求項７】
断熱外被材の断熱効果を上げる空間９を設けた外被２を組合せた構造からなる請求項１、請求項２、請求項３、請求項４、請求項５、請求項６の電熱一体型移送管。
【請求項８】
蓄熱材１２を管１の外周に装着した請求項１、請求項２、請求項３、請求項４、請求項５、請求項６、請求項７の電熱一体型移送管。
【発明の詳細な説明】
【技術分野】
【０００１】
本発明は、内設の管を通して凍結防止及び温度変化によって粘度が変化する気体及び流体を一定の温度で給排し、防水構造、光、電気的信号伝達が容易な電熱一体型移送管に関する。
【背景技術】
【０００２】
従来の凍結防止や温度変化によって液・流体の粘度を維持する配管の加熱においては、セラミック管にニクロム線ヒーターを埋設する又は樹脂管の内外空間に、各種ヒーターを装着する構造であった。（例えば、特許文献１、２、３参照。）
【特許文献１】特公平１０―９２５５号  公報
【特許文献２】特公平２００２―２６４７７９号  公報
【特許文献３】特公平２００５−１４７４６４号  公報
【発明の開示】
【発明が解決しようとする課題】
【０００３】
第１の課題は、以上に述べた従来の配管一体型電熱ケーブルでは部分的加熱しか得られず、しかも柔軟性に欠け、長さを自由に切断施工出来ない為、用途に制限された。又、発熱体と通電線との接触部に安全性が欠ける弱点があった。
【０００４】
第２の課題は、加熱温度を一定に保つ為に温度センサーやサーモスタットが必要であった。サーモスタットを付けた場合、温度脈流が発生し温度の安定性に欠ける欠点があった。
サーモスタットの故障により、過熱事故が発生する危険があった。
【０００５】
第３の課題は、複数管の場合、給排系統の分別施工に識別が困難であった。
【０００６】
第４の課題は、管長さが長尺で、重量のある流体を移送する場合は、電熱一体型移送管の撓みが発生し支持物による施工が必要であった。
【０００７】
第５の課題は、電熱一体型移送管の先端部に、照光やある種のセンサーを動作させる為の電気信号及び配電をする場合、別途に施工する必要があった。
【０００８】
第６の課題は、高電圧でアースが必要な場合、別途施工が必要であった。
【０００９】
第７の課題は、温度を効率的に維持する為、電熱一体型移送管を施工した後、断熱施工をする必要があった。
【００１０】
第８の課題は、維持温度効率をより高める目的として、管に蓄熱材の別途施工をする必要があった。
【００１１】
本発明は、以下に述べる解決手段によって、上述の問題を解決しようとするものである。
【課題を解決するための手段】
【００１２】
第１の手段は、柔軟な樹脂製もしくは、外被を電気的に絶縁された金属製の単管又は、複数管の外周部全体に以下通電線Ａを装着し、その外周部全体に均一の厚さで、柔軟性を持つ発熱体を被覆し、さらに、その外周部全体に通電線Ｂを装着して、それらの外周全体に外被１を被覆した構造とした事。
【００１３】
第２の手段は、発熱体が自己温度制御機能を有する発熱体である構造とした事。
【００１４】
第３の手段は、複数管は、それぞれの管に明瞭な識別可能な色分けをした構造とした事。
【００１５】
第４の手段は、複数管は、樹脂製管１と外被を電気的に絶縁された金属製管９が組合された構造とした事。
【００１６】
第５の手段は、複数管が信号伝達用ケーブルや光ファイバーと組合された構造とした事。
【００１７】
第６の手段は、アース用通電線を組合された構造とした事。
【００１８】
第７の手段は、断熱材の断熱効果の上がる空洞を設けた外被２を組合せた構造とした事。
【００１９】
第８の手段は、管と発熱体の間に蓄熱材を装着した構造とした事。
【発明の効果】
【００２０】
第１の効果は、本発明の電熱一体型移送管は凍結防止及び温度変化によって粘度が変化する液、流体を一定の温度で維持、加温し給排出来る効果がある。
【００２１】
第２の効果は、加熱温度を一定に保つ為の温度センサーやサーモスタットが不要になった。サーモスタットを付けた場合、温度脈流が発生し温度の安定性に欠ける欠点が無くなった。また、サーモスタットの故障により、過熱事故が発生する危険が無くなった。
【００２２】
第３の効果は、複数管の場合、給排系統の分別施工時に識別が容易になった。
【００２３】
第４の効果は、管長さが長尺で、重量のある流体を移送する場合は、電熱一体型移送管の撓みが無くなり、支持物による施工が容易になった。
【００２４】
第５の効果は、電熱一体型移送管の先端部に、照光やある種のセンサーを動作させる為の電気信号及び配電をする場合、別途施工が不要になった。
【００２５】
第６の効果は、高電圧でアースが必要な場合、アース線の別途施工が不要になった。
【００２６】
第７の効果は、温度を効率的に維持する為、電熱一体型移送管の断熱施工が不要になった。
【００２７】
第８の効果は、維持温度効率をより高める目的として、管に蓄熱材の別途施工をする必要が不要になった。
【発明を実施するための最良の形態】
【００２８】
以下、本発明の実施の形態を図１〜図６に基づいて説明する。
【実施例１】
【００２９】
図１は、電熱一体型移送複数管構造の形態。
【００３０】
図２は複数管の部分拡大斜視図である。
【実施例２】
【００３１】
図３は、金属管９と樹脂管１とを組合せた電熱一体型移送複数管構造の形態。
【実施例３】
【００３２】
図４は、信号伝達用ケーブル８や光ファイバー７が組合された電熱一体型移送管構造の形態。
【実施例４】
【００３３】
図５は、アース線９を組合せた電熱一体型移送単管の形態。
【００３４】
図６は、蓄熱材１２を管の外周装着し、その外周に通電線Ａ、自己温度制御型発熱体３、通電線Ｂ、空洞を設けた外被２を組合せた断面形態。
【産業上の利用可能性】
【００３５】
カテーテルへの利用。例えば、人体内への薬品注入と血液採取の凝固防止。
【００３６】
バイオ技術への利用。例えば、薬品注入と細胞採取の凝固防止。
【００３７】
触媒技術への利用。例えば、触媒用薬品と気体注入と抽出の凝固防止。
【００３８】
ナノテク技術への利用。例えば、一定温度での潤滑油等の注入と排出。
【００３９】
各種食品関連への利用。例えば製菓、製パンの流体粘度を維持の必要がある配管。
【００４０】
各種薬品関連への利用。例えばゲル状薬品の流体粘度を維持の必要がある配管。
【図面の簡単な説明】
【００４１】
【図１】本発明実施例の斜視図である。
【図２】複数管の部分拡大斜視図である。
【図３】金属管と樹脂管との組合せた電熱一体型移送複数管構造の実施例の部分拡大斜視図。
【図４】信号伝達用ケーブルや光ファイバーと組合された電熱一体型移送管構造の実施例の部分拡大斜視図。
【図５】アース用通電線を組合された実施例の斜視図。
【図６】金属管と樹脂管との組合せた電熱一体型移送複数管の断熱効果の上がる構造とした外被構造の実施例の断面図。
【符号の説明】
【００４２】
１  管（複数管）
２  通電線Ａ
３  自己温度制御型発熱体
４  通電線Ｂ
５  外被１
６  金属管
７  光ファイバー
８  信号伝達用ケーブル
９  アース用通電線
１０  外被２
１１  外被２に設けられた保温空洞。
１２  管外周に設けられた蓄熱材。蓄熱材は一体成型された形状も可能。
【図１】
2007179800.tif 000003
【図２】
2007179800.tif 000004
【図３】
2007179800.tif 000005
【図４】
2007179800.tif 000006
【図５】
2007179800.tif 000007
【図６】
2007179800.tif 000008